(57)【特許請求の範囲】
【請求項１】
物品の主搬送経路に沿って張設された無端回動体と、前記無端回動体に取り付けられ前記物品が載置される複数の物品支持体と、前記各物品支持体にそれぞれ外嵌して案内され物品支持体上の物品の側方に作用する物品横押し体と、前記物品支持体上へ搬送する物品を移載する搬入コンベヤを備え、前記無端回動体を回動することにより前記搬入コンベヤから物品支持体へ投入された物品を主搬送経路に沿って搬送し、前記物品横押し体を案内して物品の側方に作用させ、物品を主搬送経路の側方に配置された目的の分岐経路へ分岐して仕分ける仕分け設備であって、
前記搬入コンベヤに沿って、前記物品の通過を検出する通過検出器を設け、
前記通過検出器の取付位置と前記物品が前記搬入コンベヤより前記物品支持体へ移載される投入位置との間の距離と、前記物品支持体の物品横押し体間のピッチに基づいた位置において、前記無端回動体により復路から前記投入位置へ回動してくる物品横押し体の通過を検出し、この検出信号に基づいて、前記通過検出器により検出されている物品に作用する前記物品横押し体が欠損しているかどうかを確認する欠損検出器を設け、
前記搬入コンベヤと前記無端回動体により、前記物品と前記物品支持体を同速度で移動し、前記通過検出器により物品を検出している間に、前記欠損検出器により物品横押し体の欠損が確認されると、この物品への前記物品横押し体の作用を中止すること
を特徴とする仕分け設備。
【請求項２】
前記欠損検出器は、
前記無端回動体の回動に応じてパルスを発生するパルス発生器と、
前記通過検出器の取付位置と前記物品が前記搬入コンベヤより前記物品支持体へ移載される投入位置との間の距離から、前記物品支持体の物品横押し体間のピッチを減算した位置に配置され、前記無端回動体が回動されることにより移動してくる物品横押し体を検出する光電センサ
を備え、
前記光電センサにより前記物品横押し体が検出されると、前記パルス発生器より発生されるパルスのカウントを開始し、カウントしたパルス数が、次の物品横押し体が検出されるまでに設定されたパルス数を超えると、前記次の物品横押し体が欠損していると判断すること
を特徴とする請求項１に記載の仕分け設備。
【発明の詳細な説明】
【技術分野】
【０００１】
本発明は、物品を主搬送経路に沿って搬送しながら目的の分岐経路へ仕分ける仕分け設備に関するものである。
【背景技術】
【０００２】
従来の仕分け設備の一例が、特許文献１に開示されている。
この特許文献１に開示されている仕分け設備は、物品の主搬送経路に沿って張設された無端チェーン（無端回動体）と、無端チェーンに取り付けられ物品を載置して主搬送経路の下流方向に移動する複数のスラット（物品支持体）と、各スラットに主搬送経路に対して直交方向へ移動自在に設けられ、スラットと共に移動し直交方向にまたは斜め方向に移動することで物品を分岐経路へ移動させる複数のシュー（物品横押し体）と、スラット上へ搬送する物品を移載（投入）する搬入コンベヤとを備え、搬入コンベヤにより物品が搬送されてきたとき、この物品を仕分ける複数のシューを判断し、無端チェーンの駆動によりスラットを主搬送経路の下流方向に移動し、搬入コンベヤによりスラットに移載された物品を、前記判断されたシューが物品を仕分ける分岐経路の位置まで移動したときに移動させて目的の分岐経路へ移動している（仕分けている）。
【０００３】
またシューが破損すると、物品を確実に分岐経路へ移動させること（仕分けること）ができないために、シューの破損を検出すると、このシュー固有の番号を記憶し、搬入コンベヤにより物品が搬送されてきたとき、この物品を仕分けるシューを判断し、この判断したシューが破損したシューに相当すると、搬入コンベヤを一旦停止し、物品を投入するスラット（シュー）をずらして、破損したシューがあるスラット上に物品を載せないようにしている。
【特許文献１】特開２００２−１９３４３７号公報
【発明の開示】
【発明が解決しようとする課題】
【０００４】
従来の仕分けコンベヤ装置では、破損したシューを特定するためにシューの固有の番号を必要としている。この固有の番号は、特定のシューが特定の位置を通過したことを検出し、特定位置を通過する順にシューに連続した番号を付して特定している。したがって、無端チェーンによりスラットが１周しないと、シューの固有の番号を特定できないため、スラットが１周するまで破損したシューを検出してもその固有の番号を記憶することができず、実際に物品を投入して仕分けを開始するまでに時間がかかるという問題があった。
【０００５】
またスラットの移動の速度と搬入コンベヤの搬送の速度を同速度としないと、スラットへ投入する前に、物品に作用させると判断したシューと実際に物品を分岐経路へ移動させるシューがずれ（トラッキングずれが発生し）、目的の分岐経路へ物品を仕分けることができないことから、搬入コンベヤを停止させないことが望ましい。しかし、従来の仕分け設備では、搬入コンベヤを一旦停止させ、トラッキングずれが発生することから、このトラッキングずれを回避するために制御が必要になり、制御が複雑になるという問題があった。特に、高速仕分けを実現するために、スラットを高速で移動させているとき、トラッキングずれが発生する可能性が高くなり、目的の分岐経路へ物品を仕分けることができなくなる可能性は高くなる。
【０００６】
また搬入コンベヤを急に止めると、物品が滑り、物品位置がずれる恐れがあるために、緩やかに止める必要があり、これに対応するためにスラットの速度を遅くすると、全体の仕分け効率が低下するという問題が発生する。
【０００７】
そこで、本発明は、起動直後から仕分けを開始でき、またトラッキングのずれを解消し高速仕分けに対応できる仕分け設備を提供することを目的としたものである。
【課題を解決するための手段】
【０００８】
前述した目的を達成するために、本発明のうち請求項１に記載の発明は、物品の主搬送経路に沿って張設された無端回動体と、前記無端回動体に取り付けられ前記物品が載置される複数の物品支持体と、前記各物品支持体にそれぞれ外嵌して案内され物品支持体上の物品の側方に作用する物品横押し体と、前記物品支持体上へ搬送する物品を移載する搬入コンベヤを備え、前記無端回動体を回動することにより前記搬入コンベヤから物品支持体へ投入された物品を主搬送経路に沿って搬送し、前記物品横押し体を案内して物品の側方に作用させ、物品を主搬送経路の側方に配置された目的の分岐経路へ分岐して仕分ける仕分け設備であって、
前記搬入コンベヤに沿って、前記物品の通過を検出する通過検出器を設け、前記通過検出器の取付位置と前記物品が前記搬入コンベヤより前記物品支持体へ移載される投入位置との間の距離と、前記物品支持体の物品横押し体間のピッチに基づいた位置において、前記無端回動体により復路から前記投入位置へ回動してくる物品横押し体の通過を検出し、この検出信号に基づいて、前記通過検出器により検出されている物品に作用する前記物品横押し体が欠損しているかどうかを確認する欠損検出器を設け、前記搬入コンベヤと前記無端回動体により、前記物品と前記物品支持体を同速度で移動し、前記通過検出器により物品を検出している間に、前記欠損検出器により物品横押し体の欠損が確認されると、この物品への前記物品横押し体の作用を中止することを特徴とするものである。
【０００９】
上記構成によれば、搬入コンベヤによる物品の搬送の速度と無端回動体による物品支持体の移動の速度は同速度とされ、通過検出器により物品を検出している間、欠損検出器により前記物品を投入する物品横押し体の欠損が確認されると、この物品への物品横押し体の作用は中止され、物品は仕分けされることはなく、終端まで搬送され、再仕分けへ回される。このように、物品横押し体の欠損が検出されても物品の搬送と物品支持体の移動は停止されることなく、物品の搬送の速度と物品支持体の移動の速度は同速度で運用されることから、搬入コンベヤにより通過検出器の取付位置より下流に搬送されている物品にトラッキングずれが発生する恐れが回避され、高速仕分けが実現可能となる。また欠損が確認された物品横押し体の固有の番号を記憶する必要がないことから、起動直後から仕分けを開始でき、実際に物品を投入して仕分けを開始するまでの時間が短縮される。
【００１０】
また請求項２に記載の発明は、請求項１に記載の発明であって、前記欠損検出器は、前記無端回動体の回動に応じてパルスを発生するパルス発生器と、前記通過検出器の取付位置と前記物品が前記搬入コンベヤより前記物品支持体へ移載される投入位置との間の距離から、前記物品支持体の物品横押し体間のピッチを減算した位置に配置され、前記無端回動体が回動されることにより移動してくる物品横押し体を検出する光電センサを備え、前記光電センサにより前記物品横押し体が検出されると、前記パルス発生器より発生されるパルスのカウントを開始し、カウントしたパルス数が、次の物品横押し体が検出されるまでに設定されたパルス数を超えると、前記次の物品横押し体が欠損していると判断することを特徴とするものである。
【００１１】
上記構成によれば、光電センサにより物品横押し体が検出されると、パルス発生器より発生されるパルスのカウントが開始され、このカウントしたパルス数が、次の物品横押し体が検出されるまでに設定されたパルス数を超えると、次の物品横押し体が欠損していると判断される。
【発明の効果】
【００１２】
本発明の仕分け設備は、通過検出器により物品を検出している間、欠損検出器により物品横押し体の欠損が確認されると、この物品への物品横押し体の作用は中止され、物品横押し体の欠損が検出されても物品の搬送と物品支持体の移動は停止されることはなく、またこの物品の搬送の速度と物品支持体の移動の速度は同速度で運用されることにより、搬入コンベヤにより通過検出器の取付位置より下流で搬送されている物品にトラッキングにずれが発生し、仕分けができなくなることを防止でき、高速仕分けを実現でき、さらに欠損が確認された物品横押し体の固有の番号を記憶する必要がないことにより、起動直後から仕分けを開始でき、実際に物品を投入して仕分けを開始するまでの時間を短縮できる、という効果を有している。
【発明を実施するための最良の形態】
【００１３】
以下、本発明の実施の形態を図面の図１〜図１２に基づいて説明する。
図５および図６に示すように、物品Ｄの搬送方向を長手方向としてこの長手方向と平行に対向して本体フレーム１１が配置されており、本体フレーム１１の片側外方には、主搬送経路Ａに対して外方かつ下流側へと傾斜した複数の分岐経路Ｂを形成する分岐コンベヤ１７が設けられている。これら分岐コンベヤ１７は、コンベヤフレームに多数のローラを支持させることで構成されている。
【００１４】
図７〜図９に示すように、本体フレーム１１は、主搬送経路Ａに沿って左右に配置された左右一対の上位フレーム材２１と、上位フレーム材２１と対向してその下方に配置された左右一対の下位フレーム材２５と、下位フレーム材２５から下方に連設した脚体１３群と、上位フレーム材２１と下位フレーム材２５との間を上下で連結する複数の縦連結部材１４と、左右の上位フレーム材２１間を左右で連結し、左右の下位フレーム材２５間を左右で連結する複数の横連結部材１５などにより構成されている。なお、上記左右一対の上位フレーム材２１と下位フレーム材２５とにより、物品Ｄの搬送方向に沿って平行に、前記搬送方向と直角な左右位置に配置された左右一対の側面フレームが構成される。
【００１５】
また上位フレーム材２１と下位フレーム材２５との間には、側部外方を覆う、障子落とし込み形式の側カバー（側部カバー）１８が設けられ、側カバー１８の外面には操作用の把手１９が設けられている。
【００１６】
また図８および図９に示すように、上位フレーム材２１には、長さ方向の全長に亘って内側（内方）に、後述する物品支持体５０の回転体５５を支持案内する上向き案内面とサイドローラ５６を支持案内する横向き案内面を有する往路側案内レール部２２が形成されている。また下位フレーム材２５には、長さ方向の全長に亘って中間部の内側（内方）に、物品支持体５０の回転体５５を支持案内する復路側案内レール部２６が突出され、また復路側案内レール部２６などにより形成される段部２８の上方に位置するように、長さ方向の全長に亘って上端延長部２９が一体に形成され、以て上端延長部２９の内側面によってサイドローラ５６の横向き案内面が形成されている。
【００１７】
また図６および図７に示すように、上記のように構成された本体フレーム１１の搬送方向上流端（始端部）には左右方向に従動軸３０が回転自在に配設され、また本体フレーム１１の搬送方向下流端（終端部）には左右方向に駆動軸３１が回転自在に配設されている。前記従動軸３０にはパルスエンコーダ（パルス発生器の一例）３２が連結され、前記駆動軸３１に駆動装置３４が連動連結されている。駆動装置３４は、電動機３５と、これに一体化した減速機３６とからなり、この減速機３６の出力部が前記駆動軸３１に連動連結されている。
【００１８】
前記従動軸３０の両端には相対向して、左右一対の従動用スプロケット（輪体の一例）３８が連結され、また前記駆動軸３１の両端には相対向して、左右一対の駆動用スプロケット（輪体の一例）３９が連結されており、駆動用スプロケット３９は、駆動軸（回転軸）３１に連結された駆動装置３４により駆動される。
【００１９】
そして、これら搬送方向上流端に回転自在に設けた左右の従動用スプロケット３８と搬送方向下流端に回転自在に設けた左右の駆動用スプロケット３９との間にそれぞれ、主搬送経路Ａに沿って左右一対の無端チェーン（無端回動体の一例）４０が張設（配設）されている。前記パルスエンコーダ３２は、無端チェーン４０の回動に応じてパルスを出力する。またこれら左右一対の無端チェーン４０の長さはそれぞれ、上流端の従動用スプロケット３８と下流端の駆動用スプロケット３９との間を往復する長さに一定の長さを加えた長さとしており、無端チェーン４０に一定の弛み（ゆとり）を持たせている。
【００２０】
この無端チェーン４０の弛みは、無端チェーン４０の往路側には、構造上表れないが、下流端の駆動用スプロケット３９から戻るときに表れ、復路側の無端チェーン４０に予め弛みを持たせた構成となり、この弛みを原因として下流端の駆動用スプロケット３９の下方に位置する復路側の無端チェーン４０は下垂しようとする。この復路側の無端チェーン４０の下垂を防止する下垂防止手段が、図７に示すように、下位フレーム材２５の搬送方向下流側に設けられている。下垂防止手段は、例えば案内用スプロケット４２、支持板４３、ベルト体４５、バランスウエイト４６などから構成されている。下垂防止手段の詳細な説明は省略する。
【００２１】
上記駆動装置３４は起動スイッチ（図示せず）の操作による起動指令を入力すると、所定の加速度で電動機３５の速度を増加し、無端チェーン４０の速度を所定の加速度で所定の速度まで立上げ、また停止スイッチ（図示せず）の操作による停止指令を入力すると、所定の減速度で電動機３５の速度を落とし、無端チェーン４０を停止する。
【００２２】
また上記左右の無端チェーン４０間に渡って、図５〜図７に示すように、物品Ｄが載置され物品Ｄを搬送する（支持する）スラットからなる物品支持体５０が等間隔で複数取り付けられている。
【００２３】
前記物品支持体５０は、両無端チェーン４０の移動方向となる主搬送経路Ａに対して直交した方向を長さ方向５１として配設されている。またこの物品支持体５０は、型レール状に構成され、長さ方向５１の両端には、それぞれサイドブラケット５３が差し込み結合などにより取り付けられている。これらサイドブラケット５３には外方へ突出する筒状体５４が取り付けられ、筒状体５４に無端チェーン４０をピン等を使用して結合することで、物品支持体５０の両端を、それぞれサイドブラケット５３を介して無端チェーン４０に連結しており、左右一対の無端チェーン４０間に多数の物品支持体５０を取り付けられている。また前記各筒状体５４には、外周部がウレタンからなる回転体５５が外嵌され、これら回転体５５は、前記本体フレーム１１側の両案内レール部２２，２６の上向き支持面に支持案内される。また前記サイドブラケット５３には、外周部がウレタンからなるサイドローラ５６が遊転自在に設けられ、これらサイドローラ５６は、上位フレーム材２１の往路側案内レール部２２の横向き案内面と下位フレーム材２５の上端延長部２９の横向き案内面に案内される。
【００２４】
また各物品支持体５０には、この物品支持体５０に外嵌して案内されることで長さ方向５１に移動自在で、物品Ｄの側方に作用する物品横押し体５７が設けられている。
この物品横押し体５７の下部側には、図８および図９に示すように、ローラ軸５８が垂設され、このローラ軸５８の突出下部に、案内ローラ（被案内体）５９が遊転自在に取り付けられ、その際にローラ軸５８は、案内ローラ５９に対して所定長さ下方に突出されるように構成されている。また案内ローラ５９は、その少なくとも最外層を磁性体５９ａとして構成されている。
【００２５】
また前記上位フレーム材２１（本体フレーム１１の上部）で、無端チェーン４０を配設するとともに往路側案内レール部２２を形成した部分に、無端チェーン４０や回転体５５の上方を閉塞状とするためのカバー体（チェーンカバー）６０が配置されている。
【００２６】
また図１０に示すように、物品支持体５０が物品Ｄの搬送方向へ移動する往路で、かつ上位フレーム材２１に連結される横連結部材１５上の両端部には、主搬送経路Ａに沿って案内ローラ５９を案内する直進用端部案内レール（直進案内部）５２ａ，５２ｂが敷設されている。
【００２７】
また複数の分岐経路Ｂ毎にそれぞれ、図１０に示すように、物品支持体５０が物品Ｄの搬送方向へ移動する往路で、かつ上位フレーム材２１に連結される横連結部材１５上に、分岐経路Ｂとは反対側に敷設された直進用端部案内レール５２ａから案内ローラ５９を分岐して、物品横押し体５７を物品支持体５０に案内することにより、物品支持体５０上の物品Ｄの側方に物品横押し体５７を作用させて物品Ｄを左右方向へ移動させる往路分岐案内部（分岐案内部）６１が配設されている。
【００２８】
この往路分岐案内部６１は、複数の分岐経路Ｂ毎に、分岐経路Ｂとは反対の側に設けられており、直進用端部案内レール５２ａと共に物品横押し体５７の案内ローラ５９を案内する直線状の始端案内レール６２と、この始端案内レール６２の終端に配置され、物品横押し体５７の案内ローラ５９を直進（直進用端部案内レール５２ａに沿ってそのまま移動）または内側方向（後述する移動案内レール６４の方向）へ案内する（振り分ける）振り分け手段６３と、振り分け手段６３により振り分けられた物品横押し体５７の案内ローラ５９を案内する、下流側ほど内側へと傾斜し、他方の側（分岐経路Ｂ側）へ到る移動案内レール６４と、この移動案内レール６４の終端に配設され、分岐経路Ｂ側に敷設された直進用端部案内レール５２ｂと共に物品横押し体５７の案内ローラ５９を直進案内する終端案内レール６５と、前記振り分け手段６３より振り分けされず直進する物品横押し体５７の案内ローラ５９を、直進用端部案内レール５２ａと共に案内する直線状の中間案内レール６６とから構成されている。
【００２９】
前記振り分け手段６３は、図１１に詳細に示すように、横連結部材１５に載置されるプレート７０上に設けられており、始端案内レール６２に連続して配置され、幅狭のガイド溝形状に形成され、ローラ軸５８を案内して幅方向で自動的に調心（センタリング案内）する調心支持軸ガイド７１と、調心支持軸ガイド７１において調心された案内ローラ５９の磁性体５９ａに吸着作用を及ぼして、案内ローラ５９を始端案内レール６２から移動案内レール６４へ吸引する吸引装置７２と、移動案内レール６４側へ吸引された案内ローラ５９のローラ軸５８の下端部を案内し、続いて案内ローラ５９を案内する樹脂製の始端部ガイド７３とから構成され、前記始端部ガイド７３に連続して上記移動案内レール６４が設けられている。
【００３０】
前記吸引装置７２は、上流側から順に、電磁石として機能して案内ローラ５９の磁性体５９ａに作用し案内ローラ５９を案内する第１磁石部７５と、永久磁石として機能して案内ローラ５９の磁性体５９ａに作用し案内ローラ５９を案内する第２磁石部７６を配置して構成され、案内ローラ５９は、第１磁石部７５に給電されると第１磁石部７５において吸引され（分岐経路Ｂの方向へ傾斜するように案内され）、直進路７７から分岐路７８へ転換され、続いて第２磁石部７６において吸引されて移動するとともに、始端部ガイド７３によりそのローラ軸５８が案内され、移動案内レール６４に案内されて内側へ移動される。これにより物品横押し体５７は、搬送方向に移動しながら主搬送経路Ａを横切ることになり、物品Ｄに横押し作用して、この物品Ｄを、その向きを変えながら、主搬送経路Ａに対して傾斜状で分岐移動させ、他方の分岐コンベヤ１７に渡す。また案内ローラ５９は、第１磁石部７５へ給電されないとき、第１磁石部７５において吸引されることなく、直進し、物品横押し体５７は通過する（分岐移動しない）。吸引装置７２に、直進路７７と分岐路７８との分岐経路Ｂの転換点７９が設けられる。
【００３１】
このように、往路分岐案内部６１により、物品横押し体５７は主搬送経路Ａまたは分岐経路Ｂへ振り分けられる。
また図１２に示すように、物品支持体５０が物品Ｄの搬送方向と逆の方向へ移動する復路で、かつ下位フレーム材２５の横連結部材１５上には、往路分岐案内部６１により移動された物品横押し体５７を左右方向の一方の側に移動させて揃える復路案内部６７が配設されている。この復路案内部６７は、物品横押し体５７の案内ローラ５９を前記片側（分岐経路Ｂとは反対の側）へ戻す（案内する）、他方の側（分岐経路Ｂ側）から下流側ほど内側へと傾斜し片側（分岐経路Ｂとは反対の側）へ到る移動案内レール６８と、この移動案内レール６８の終端に配設され、物品横押し体５７の案内ローラ５９を直進案内するリターン案内レール６９とから構成されている。
【００３２】
また図１、図６および図７に示すように、本体フレーム１１の搬送方向上流端（始端部）には、物品Ｄの搬入経路Ｆを形成する搬入コンベヤ装置８２が設けられている。この搬入コンベヤ装置８２により、物品Ｄが搬送され、復路より本体フレーム１１の上流端へ移動してきた物品支持体５０上へ搬出（投入）される。搬入コンベヤ装置８２による物品Ｄの搬送の速度と無端チェーン４０の駆動による物品支持体５０の移動の速度は同速度とされている。
【００３３】
また搬入コンベヤ装置８２に沿って、後述する投入位置Ｇから上流へ距離ｘの位置に、物品Ｄの通過を検出する通過検出器として、光軸が、搬送方向とは直角に設置された第１光電センサ８４が設けられている。また第１光電センサ８４の上流には、第１光電センサ８４により物品Ｄの先端が検出されたことを条件に物品Ｄのバーコード（物品Ｄを区別する特有の符号の一例）を検出するバーコードリーダ８５が設けられている。
【００３４】
また図１に示すように、第１光電センサ８４の取付位置とこの第１光電センサ８４の取付位置を通過した物品Ｄが実際に物品支持体５０に移載される位置（物品乗り込み先端位置；投入位置）Ｇまでの距離ｘから、物品支持体５０の物品横押し体５７間（物品支持体５０間も同じ）のピッチｐを減算した位置に、復路から前記投入位置Ｇへ回動してくる物品横押し体５７の通過を検出する第２光電センサ（欠損検出器の光電センサの一例）８６が設けられている。
【００３５】
この第２光電センサ８６の取付位置は、図１および図２に示すように、従動用スプロケット３８の復路側の上流に位置し、光軸が物品横押し体５７の移動方向とは直角に設置され、無端チェーン４０により回動されてくる物品支持体５０の物品横押し体５７の高さ方向の一部の通過を検出するように取り付られている。
【００３６】
また図３に示すように、後述する仕分け設備の制御装置９１に欠損検出部８７が設けられ、この欠損検出部８７に、パルスエンコーダ３２、第１光電センサ８４および第２光電センサ８６が接続され、物品横押し体５７の欠損を検出している。
【００３７】
すなわち、第２光電センサ８６がオンしたタイミングでリセットされ、パルスエンコーダ３２から出力されるパルスのカウントを開始するカウンタ８８が設けられ、このカウンタ８８によりカウントされたパルス数が、次の物品横押し体５７が検出されるまでのパルス数（設定パルス数）αを超えたかどうかを検出する比較器８９が設けられ、設定パルス数αを超えると、前記次の物品横押し体５７が欠損していると判断され、欠損検出信号が出力される。設定パルス数は、物品横押し体５７間のピッチｐの距離を、物品横押し体５７が移動する間にパルスエンコーダ３２より出力されるパルス数により設定される。第１光電センサ８４がオンのときに欠損検出信号が出力されていると、仕分け不可指令信号が出力される。
【００３８】
このように、次の物品横押し体５７の欠損を判断していることになることから、第２光電センサ８６の位置を、１ピッチ下流側（投入位置Ｇ側）に移して、次に移動してくる物品横押し体５７（この物品横押し体５７が物品Ｄに作用する）を検出できるようにしている。したがって、前記距離ｘは、２ピッチ以上が必要である。
【００３９】
上記パルスエンコーダ３２、第１光電センサ８４、第２光電センサ８６および欠損検出部８７により欠損検出器が構成されている。
また仕分け設備の制御装置９１に、パルスエンコーダ３２、第１光電センサ８４、バーコードリーダ８５、第２光電センサ８６、および各往路分岐案内部６１の吸引装置７２（第１磁石部７５）が接続されている。
【００４０】
制御装置９１は、図４に示すように、前記欠損検出部８７、物品検出部９２、および物品仕分け部９３から構成されている。
物品検出部９２には、予め物品Ｄ毎を仕分ける分岐経路Ｂが記憶された仕分け情報部（メモリ）１０１と、第１光電センサ８４と各分岐経路Ｂの往路分岐案内部６１の吸引装置７２（転換点７９）と間の距離を、パルスエンコーダ３２のパルスの１パルス当たりの無端チェーン４０の移動距離（設計値）で除算して求めた各転換点７９におけるパルス数（分岐パルス数）が記憶された分岐パルス数情報部（メモリ）１０２が設けられている。
【００４１】
また物品検出部９２には、第１光電センサ８４により、物品Ｄの先端を検出すると、パルスエンコーダ３２のパルスのカウントを開始し、物品Ｄの通過終了までのパルス数（物品Ｄの物品長Ｌに相当するパルス数）を求める物品長カウンタ１０４が設けられ、また同時に取り込み部１０５においてバーコードリーダ８５により読み取られた物品Ｄのバーコードを取り込み、このバーコードにより、分岐経路検索部１０６において前記仕分け情報部１０１に予め格納された仕分け情報を検索して物品Ｄを分岐する目的の分岐経路Ｂのナンバーを求め、この求めた分岐経路Ｂのナンバーにより分岐パルス数検索部１０７において分岐パルス数情報部１０２を検索して、分岐経路Ｂの往路分岐案内部６１の吸引装置７２の転換点７９に到る分岐パルス数を求めている。
【００４２】
また欠損検出部８７より仕分け不可指令信号が出力されていないとき、上記求められた分岐経路Ｂのナンバーと分岐パルス数と物品長Ｌ（パルス数）が、連続番号（シリアルナンバー）が付されて分岐情報として分岐情報記憶部１０９に記憶される。なお、欠損検出部８７より仕分け不可指令信号が出力されていると、第１光電センサ８４により検出されている物品Ｄに対する分岐情報は記憶されず、この物品Ｄは分岐されないことになる。
【００４３】
上記物品検出部９２の構成により、物品Ｄが第１光電センサ８４位置を通過する毎に（第１光電センサ８４により物品Ｄの先端が検出される毎に）、欠損検出部８７より仕分け不可指令信号が出力されていないとき、物品Ｄの分岐情報が、連続番号が付されて記憶される。
【００４４】
上記物品仕分け部９３は、上記連続番号が付される毎に構築される物品Ｄ毎の仕分け部であり、第１光電センサ８４により物品Ｄの先端を検出するとパルスエンコーダ３２のパルスのカウントを開始する仕分けカウンタ１１１と、仕分けカウンタ１１１においてカウントされたカウント値が、物品検出部９２の分岐情報記憶部１０９に記憶された分岐パルス数となると、分岐指令信号を出力する比較器１１２と、比較器１１２の分岐指令信号に基づいて、物品検出部９２の分岐情報記憶部１０９に記憶された物品長Ｌ（パルス数）の間、パルスを出力するパルス発生部１１３と、パルス発生部１１３より出力されたパルスを、物品検出部９２の分岐情報記憶部１０９に記憶された分岐経路Ｂのナンバーの吸引装置７２へ出力する出力部１１４から構成されている。
【００４５】
この物品仕分け部９３は、上述したように物品Ｄ毎に構築され、この物品仕分け部９３の構成により、物品Ｄが目的の分岐経路Ｂの分岐位置に到達すると、この分岐経路Ｂの吸引装置７２へパルスが出力され、このパルスがオンしている間、吸引装置７２により物品長Ｌが載置された物品支持体５０の物品横押し体５７の案内ローラ５９が吸引され、物品Ｄが目的の分岐経路Ｂに分岐される。
【００４６】
上記制御装置９１の機能により仕分け設備の以下の作用が実現されている。
（１）搬入コンベヤ装置８２による物品Ｄの搬送の速度と無端チェーン４０による物品支持体５０の移動の速度は同速度とされ、第１光電センサ８４により物品Ｄを検出している間、上記欠損検出器により物品横押し体５７の欠損が確認されると、この物品Ｄの分岐情報は作成されず、物品横押し体５７の作用は中止され、物品Ｄは仕分けされることはなく、終端まで移動され、再仕分けへ回される。物品横押し体５７の欠損が検出されても、物品Ｄの搬送と物品支持体５０の移動は停止されることがない。
【００４７】
（２）第１光電センサ８４により、物品Ｄの先端が検出されると、パルスエンコーダ３２のパルスのカウントを開始し、物品Ｄの通過終了までのパルス数（物品Ｄの物品長Ｌに相当するパルス数）を求め、また同時にバーコードリーダ８５により読み取られた物品Ｄのバーコードを取り込み、このバーコードにより、予め格納された仕分け情報に基づいてこの物品Ｄを分岐する目的の分岐経路Ｂを求め、この分岐経路Ｂの往路分岐案内部６１の吸引装置７２の転換点７９に到る分岐パルス数を求める。
【００４８】
（３）第１光電センサ８４により、物品Ｄの先端を検出すると、パルスエンコーダ３２のパルスのカウントを開始する。そして、カウントしたパルス数が、分岐位置の転換点７９に到るパルス数になると、目的の分岐経路Ｂの吸引装置７２（第１磁石部７５）へ、求めた物品Ｄの物品長Ｌのパルス数の間、継続して分岐指令を出力し、物品Ｄを載置している物品支持体５０の物品横押し体５７を横移動させて、物品Ｄを分岐経路Ｂへ分岐する。
【００４９】
以上のように本実施の形態によれば、第１光電センサ８４により物品Ｄを検出している間、欠損検出器により物品横押し体５７の欠損が確認されると、この物品Ｄの分岐情報は作成されず、物品横押し体５７の作用は中止され、物品Ｄは仕分けされることはなく、終端まで移動され、物品横押し体５７の欠損が検出されても、物品Ｄの搬送と物品支持体５０の移動は停止されることがなく、また搬入コンベヤ装置８２による物品Ｄの搬送の速度と無端チェーン４０の駆動による物品支持体５０の移動の速度は同速度に運用されることにより、従来のように搬入コンベヤ装置８２の一旦停止により第１光電センサ８４の取付位置より下流で搬送されている物品Ｄにトラッキングずれが発生し、仕分けができなくなることを防止でき、簡易な仕分け制御、および高速仕分けを実現できる。さらに欠損が確認された物品横押し体５７の固有の番号を記憶する必要がないことにより、起動直後に仕分けを開始でき、実際に物品Ｄを投入して仕分けを開始するまでの時間を短縮することができる。
【００５０】
また本実施の形態によれば、第１光電センサ８４により物品横押し体５７が検出されると、パルスエンコーダ３２より発生されるパルスのカウントが開始され、このカウントしたパルス数が、次の物品横押し体５７が検出されるまでに設定されたパルス数を超えると、次の物品横押し体５７が欠損していると判断することにより、簡易に物品横押し体５７の欠損を検出することができる。
【００５１】
また本実施の形態によれば、第１光電センサ８４により検出された物品Ｄが物品支持体５０へ投入されるまでに移動する距離ｘより、物品支持体５０の物品横押し体５７間のピッチｐを減算した位置に、無端チェーン４０に沿って欠損検出器の第２光電センサ８６を設けたことにより、機械的に同期をとって、搬入コンベヤ装置８２上の物品Ｄに実際に作用する物品横押し体５７の欠損を検出できる。
【００５２】
なお、本実施の形態では、第１光電センサ８４により物品横押し体５７が検出されると（第１光電センサ８４の検出信号がオンとなると）、パルスエンコーダ３２より発生されるパルスのカウントが開始しているが、第１光電センサ８４により物品横押し体５７が検出されてなってから（第１光電センサ８４の検出信号がオフとなってから）パルスのカウントを開始するようにしてもよい。
【図面の簡単な説明】
【００５３】
【図１】本発明の実施の形態における仕分け設備の上流端部の側面図である。
【図２】同仕分け設備の上流端部の一部切り欠き正面図である。
【図３】同仕分け設備の欠損検出の説明図である。
【図４】同仕分け設備の制御装置のブロック図である。
【図５】同仕分け設備の一部斜視図である。
【図６】同仕分け設備の概略平面図である。
【図７】同仕分け設備の概略側面図である。
【図８】同仕分け設備の一部切り欠き正面図である。
【図９】同仕分け設備の要部の一部切り欠き正面図である。
【図１０】同仕分け設備の往路分岐案内部を示す概略平面図である。
【図１１】同仕分け設備の往路分岐案内部の振り分け手段の平面図である。
【図１２】同仕分け設備の復路案内部を示す概略平面図である。
【符号の説明】
【００５４】
Ａ        主搬送経路
Ｂ        分岐経路
Ｄ        物品
Ｆ        搬入経路
Ｇ        物品乗り込み位置先端位置
ｐ        物品支持体間のピッチ
１１      本体フレーム
１７      分岐コンベヤ
２２      往路側案内レール部
２６      復路側案内レール部
４０      無端チェーン（無端回動体）
５０      物品支持体
５７      物品横押し体
５８      ローラ軸
５９      案内ローラ
６１      往路分岐案内部
６３      振り分け手段
６４      移動案内レール
７２      吸引装置
７９      転換点
８２      搬入コンベヤ装置
８４      第１光電センサ
８５      バーコードリーダ
８６      第２光電センサ
８７      欠損検出部
９１      仕分け設備の制御装置
【図１】
0005003595.tif 000002
【図２】
0005003595.tif 000003
【図３】
0005003595.tif 000004
【図４】
0005003595.tif 000005
【図５】
0005003595.tif 000006
【図６】
0005003595.tif 000007
【図７】
0005003595.tif 000008
【図８】
0005003595.tif 000009
【図９】
0005003595.tif 000010
【図１０】
0005003595.tif 000011
【図１１】
0005003595.tif 000012
【図１２】
0005003595.tif 000013